(57)【要約】【課題】  本発明は、ＩＣカード機能が組み込まれた携帯機器等に関し、ＩＣカード機能の安全性を高める。【解決手段】  ＩＣカード機能を、ユーザ操作により、ＩＣカード機能が停止したロック状態と、ＩＣカード機能が有効なロック解除状態との間で切り替えるロック切替操作子と、ロック切替操作子の操作による、ＩＣカード機能のロック解除の時点からの時間を計測するタイマと、タイマによる計測時間が所定の閾値時間に達した時点で、ＩＣカード機能を自動でロック状態に戻すオートロック処理部とを備える。【選択図】        図４
2007148999.tif 000002
【特許請求の範囲】
【請求項１】
近距離無線通信により所期の作用を成すＩＣカード機能が組み込まれた携帯機器において、
前記ＩＣカード機能を、ユーザ操作により、該ＩＣカード機能が停止したロック状態と、該ＩＣカード機能が有効なロック解除状態との間で切り替えるロック切替操作子と、
前記ロック切替操作子の操作による、前記ＩＣカード機能のロック解除の時点からの時間を計測するタイマと、
前記タイマによる計測時間が所定の閾値時間に達した時点で、前記ＩＣカード機能を自動で前記ロック状態に戻すオートロック処理部とを備えたことを特徴とする携帯機器。
【請求項２】
前記閾値時間をユーザ操作により設定する閾値設定部を備えたことを特徴とする請求項１記載の携帯機器。
【請求項３】
この携帯機器の電源をオン、オフする電源スイッチを備え、
前記オートロック処理部は、前記ロック切替操作子の操作により前記ＩＣカードの機能のロックが解除された後、前記タイマによる計測時間が前記閾値時間に達する前にこの携帯機器の電源がオフされたときは、前記ＩＣカード機能を、電源オフの時点でロック状態に戻すことを特徴とする請求項１記載の携帯機器。
【請求項４】
現在時刻を認識する時計部と、
前記ロック状態にあるＩＣカード機能の前記ロック解除状態への移行と、前記ロック解除状態にあるＩＣカード機能の前記ロック状態への移行との双方を時間的なスケジュールで行なうスケジュール管理部とを、さらに備えたことを特徴とする請求項１記載の携帯機器。
【請求項５】
前記スケジュール管理部は、前記ロック状態にあるＩＣカード機能を前記ロック解除状態へ移行させたときに前記オートロック処理部の機能を停止させるとともに、前記ロック解除状態にあるＩＣカード機能を前記ロック状態へ移行させたときに前記オートロック処理部の機能を復活させるものであることを特徴とする請求項４記載の携帯機器。
【請求項６】
前記スケジュール管理部は、前記ロック状態にあるＩＣカード機能を前記ロック解除状態へ移行させる第１の時刻に達したときに該ＩＣカード機能が既にロック解除状態にあったときは、該ロック解除状態にあるＩＣカード機能を再びロック状態へ移行させる第２の時刻に達しても、該第２の時刻における、ロック状態もしくはロック解除状態にあるＩＣカード機能の状態を、引き続き維持させるものであることを特徴とする請求項４記載の携帯機器。
【請求項７】
前記スケジュール管理部は、前記ロック状態にあるＩＣカード機能を前記ロック解除状態へと移行させた後、該ロック解除状態にあるＩＣカード機能を再びロック状態へ移行させる時刻に達する前に、前記ロック切替操作子が１回以上操作されたときは、該ロック解除状態にあるＩＣカード機能を再びロック状態へ移行させる時刻に達しても、該時刻におけるロック状態もしくはロック解除状態にあるＩＣカード機能の状態を引き続き維持させるものであることを特徴とする請求項４記載の携帯機器。
【請求項８】
この携帯機器の電源をオン、オフする電源スイッチを備え、
前記スケジュール管理部は、前記ロック状態にあるＩＣカード機能を前記ロック解除状態へと移行させた後、該ロック解除状態にあるＩＣカード機能を再びロック状態へ移行させる時刻に達する前にこの携帯機器の電源がオフされたときは、前記ＩＣカード機能を、この携帯機器の電源が再びオンされた時点および該ロック解除状態にあるＩＣカード機能を再びロック状態へ移行させる時刻に達した時点のうちの遅い方の時点で、ロック状態へ移行させるものであることを特徴とする請求項４記載の携帯機器。
【請求項９】
近距離無線通信により所期の作用を成すＩＣカード機能が組み込まれた携帯機器内で実行され、該携帯機器を、
前記ＩＣカード機能を、ユーザ操作により、該ＩＣカード機能が停止したロック状態と、該ＩＣカード機能が有効なロック解除状態との間で切り替えるロック切替操作子と、
前記ロック切替操作子の操作による、前記ＩＣカード機能のロック解除の時点からの時間を計測するタイマと、
前記タイマによる計測時間が所定の閾値時間に達した時点で、前記ＩＣカード機能を自動で前記ロック状態に戻すオートロック処理部とを備えた携帯機器として動作させることを特徴とするＩＣカード機能ロック制御プログラム。
【請求項１０】
近距離無線通信により所期の作用を成すＩＣカード機能が組み込まれ、該ＩＣカード機能を、ユーザ操作により、該ＩＣカード機能が停止したロック状態と、該ＩＣカード機能が有効なロック解除状態との間で切り替えるロック切替操作子を備えた携帯機器における、該ＩＣカード機能のロックおよびロック解除を制御するＩＣカード機能ロック制御方法において、
前記ロック切替操作子の操作による、前記ＩＣカード機能のロック解除の時点からの時間を計測する計時ステップと、
前記計時ステップによる計測時間が所定の閾値時間に達した時点で、前記ＩＣカード機能を自動で前記ロック状態に戻すオートロックステップとを有することを特徴とするＩＣカード機能ロック制御方法。
【発明の詳細な説明】
【技術分野】
【０００１】
本発明は、ＩＣカード機能が組み込まれた携帯機器、ＩＣカード機能が組み込まれた携帯機器内で実行され、その携帯機器に組み込まれたＩＣカード機能の有効、無効を制御するＩＣカード機能ロック制御プログラム、および、携帯機器に組み込まれたＩＣカード機能のロックおよびロック解除を制御するＩＣカード機能ロック制御方法に関する。
【背景技術】
【０００２】
近年、ＩＣチップが埋め込まれたＩＣカードが多用されてきている。このＩＣカードは、このＩＣカードに埋め込まれたＩＣチップとの間で近距離無線通信を行なう機器に近づくと、その機器との間で無線通信を行い、所期の作用、例えば課金処理等を行なうようになっている。さらに、最近では、このＩＣカードの機能が組み込まれた、携帯電話機等の携帯機器が登場してきている。
【０００３】
ＩＣカードが多用されるようになってくるに従い、如何にしてＩＣカードの不正使用防止を図るかという、安全性の問題が浮上してきている。
【０００４】
このＩＣカードの安全性を向上させるための提案として、特許文献１には、使用開始日から所定日数のみ使用可能とし、その後は機能しなくなるように構成したＩＣカードが提案されている。また、特許文献２には、ＩＣカードをＩＣカードリーダライタに挿入して認証処理を行なった後、一定時間のみそのＩＣカードを用いた処理を可能とする技術が提案されている。
【０００５】
さらに、特許文献３には、携帯電話機の留守録機能に関し、留守録機能を時間的なスケジュールで有効、無効に切り替える技術が提案されている。
【０００６】
さらに、特許文献４には、ＩＣカードに有効な時間帯を設けることが提案されている。
【特許文献１】特開２０００−３１１２２３号公報
【特許文献２】特開２００３−２０８５８５号公報
【特許文献３】特開２０００−１８４０５５号公報
【特許文献４】特開２０００−９９６０３号公報
【発明の開示】
【発明が解決しようとする課題】
【０００７】
特許文献１に開示された、使用開始日から所定日数のみ使用可能とする提案は、使用開始日から所定日数経過するまでの間の１つの期間のみ使用可能とするものであり、その期間内では安全性は図られず、使用可能な期間を短縮すると、短期間で使用不能となり不都合である。
【０００８】
また、特許文献２に開示された認証処理が行なわれた後の一定時間のみ使用可能とする技術は、ＩＣカードをＩＣカードリーダライタに挿入していることを前提としたものであり、持ち歩くことを前提とした携帯機器に組み込まれたＩＣカード機能については適合しない。
【０００９】
さらに、特許文献３の留守録機能を時間的なスケジュールで有効、無効にする技術を応用してＩＣカード機能を時間的なスケジュールで有効、無効にすること、あるいは特許文献４のように有効な時間帯を設けることが考えられるが、この機能の場合、ユーザが意識せずにあるいは忘れていて、ロックが解除されることが生じるため、この機能のみでは十分な安全性が図られない。
【００１０】
本発明は、上記事情に鑑み、ＩＣカード機能の安全性が高められた携帯機器、携帯機器内で実行されてＩＣカード機能の安全性を高めるＩＣカード機能ロック制御プログラム、および、携帯機器に組み込まれたＩＣカード機能の安全性を高めるＩＣカード機能ロック制御方法を提供することを目的とする。
【課題を解決するための手段】
【００１１】
上記目的を達成する本発明の携帯機器は、近距離無線通信により所期の作用を成すＩＣカード機能が組み込まれた携帯機器において、
ＩＣカード機能を、ユーザ操作により、ＩＣカード機能が停止したロック状態と、ＩＣカード機能が有効なロック解除状態との間で切り替えるロック切替操作子と、
ロック切替操作子の操作による、ＩＣカード機能のロック解除の時点からの時間を計測するタイマと、
タイマによる計測時間が所定の閾値時間に達した時点で、ＩＣカード機能を自動でロック状態に戻すオートロック処理部とを備えたことを特徴とする。
【００１２】
本発明の携帯機器は、ロック切替操作子を備え、そのロック切替操作子の操作子によりＩＣカード機能をロック解除状態に移行させる都度、所定の閾値時間経過後にロック状態に戻るため、携行して移動している途中で、何度も繰り返し必要な都度ロックを解除することができ、再びロックするのを忘れていても自動的にロックされるため、利便性を保ちつつ高度な安全性が確保される。
【００１３】
ここで、本発明の携帯機器において、上記閾値時間をユーザ操作により設定する閾値設定部を備えることが好ましい。
【００１４】
そのユーザの使い方により、必要最小限の閾値時間を設定できるようにしておくことにより、利便性を損わずに安全性を一層高めることができる。
【００１５】
また、本発明の携帯機器において、この携帯機器の電源をオン、オフする電源スイッチを備え、
上記オートロック処理部は、ロック切替操作子の操作によりＩＣカードの機能のロックが解除された後、タイマによる計測時間が閾値時間に達する前に、この携帯機器の電源がオフされたときは、ＩＣカード機能を、電源オフの時点でロック状態に戻すものであることが好ましい。
【００１６】
電源オフの状態でもロック状態とロック解除状態を切り替えようとすると、電源オフの状態でも、その切り替えのための回路部分に電力を供給しつづける必要があるためデメリットが大きい。これを避けるには、電源オフの時点で切り替えるか、電源が再びオンになった時点で切り替えることになる。
【００１７】
ここで、オートロック処理部は、閾値時間経過すると自動的にロック状態に移行させるものであり、電源がオフされたときは閾値時間に達していなくてもその時点でロック状態に移行させることが好ましい。
【００１８】
また、本発明の携帯機器において、現在時刻を認識する時計部と、
ロック状態にあるＩＣカード機能のロック解除状態への移行と、ロック解除状態にあるＩＣカード機能のロック状態への移行との双方を時間的なスケジュールで行なうスケジュール管理部とを、さらに備えることが好ましい。
【００１９】
このスケジュール管理部を備えると、例えば毎日同じ時刻にＩＣカード機能を使用する場合などに、ロック解除操作をもなくすことができ、利便性がさらに向上する。
【００２０】
ここで、上記スケジュール管理部は、ロック状態にあるＩＣカード機能をロック解除状態へ移行させたときにオートロック処理部の機能を停止させるとともに、ロック解除状態にあるＩＣカード機能をロック状態へ移行させたときにオートロック処理部の機能を復活させるものであることが好ましい。
【００２１】
こうすることにより、スケジュール管理部とオートロック処理部との間の処理の競合を避けることができる。
【００２２】
また、上記スケジュール管理部は、ロック状態にあるＩＣカード機能をロック解除状態へ移行させる第１の時刻に達したときにＩＣカード機能が既にロック解除状態にあったときは、ロック解除状態にあるＩＣカード機能を再びロック状態へ移行させる第２の時刻に達しても、該第２の時刻における、ロック状態もしくはロック解除状態にあるＩＣカード機能の状態を、引き続き維持させるものであることが好ましく、またこれと同様に、上記スケジュール管理部は、ロック状態にあるＩＣカード機能をロック解除状態へと移行させた後、ロック解除状態にあるＩＣカード機能を再びロック状態へ移行させる時刻に達する前に、ロック切替操作子が１回以上操作されたときは、ロック解除状態にあるＩＣカード機能を再びロック状態へ移行させる時刻に達しても、その時刻におけるロック状態もしくはロック解除状態にあるＩＣカード機能の状態を引き続き維持させるものであることが好ましい。
【００２３】
スケジュール管理部は、常に時間的なスケジュールでロック解除およびロックを行なうものであり、ユーザ操作があったときは、ユーザ操作の方を優先させることが好ましい。
【００２４】
さらに、本発明の携帯機器が、この携帯機器の電源をオン、オフする電源スイッチを備え、
上記スケジュール管理部は、ロック状態にあるＩＣカード機能をロック解除状態へと移行させた後、ロック解除状態にあるＩＣカード機能を再びロック状態へ移行させる時刻に達する前にこの携帯機器の電源がオフされたときは、ＩＣカード機能を、この携帯機器の電源が再びオンされた時点およびロック解除状態にあるＩＣカード機能を再びロック状態へ移行させる時刻に達した時点のうちの遅い方の時点で、ロック状態へ移行させるものであることが好ましい。
【００２５】
スケジュール管理部の場合は、ロック解除の時刻に達した後、次のロック状態に移行させるまでの時間帯はロック解除状態にあることが期待されており、したがって、途中で電源がオフされたときは、上記の、いずれか遅い方の時点で、ロック状態へ移行させることが好ましい。
【００２６】
また、上記本発明のＩＣカード機能ロック制御プログラムは、近距離無線通信により所期の作用を成すＩＣカード機能が組み込まれた携帯機器内で実行され、その携帯機器を、
ＩＣカード機能を、ユーザ操作により、ＩＣカード機能が停止したロック状態と、ＩＣカード機能が有効なロック解除状態との間で切り替えるロック切替操作子と、
ロック切替操作子の操作による、ＩＣカード機能のロック解除の時点からの時間を計測するタイマと、
タイマによる計測時間が所定の閾値時間に達した時点で、ＩＣカード機能を自動でロック状態に戻すオートロック処理部とを備えた携帯機器として動作させることを特徴とする。
【００２７】
さらに、本発明のＩＣカード機能ロック制御方法は、近距離無線通信により所期の作用を成すＩＣカード機能が組み込まれ、そのＩＣカード機能を、ユーザ操作により、ＩＣカード機能が停止したロック状態と、ＩＣカード機能が有効なロック解除状態との間で切り替えるロック切替操作子を備えた携帯機器における、ＩＣカード機能のロックおよびロック解除を制御するＩＣカード機能ロック制御方法であって、
ロック切替操作子の操作による、ＩＣカード機能のロック解除の時点からの時間を計測する計時ステップと、
計時ステップによる計測時間が所定の閾値時間に達した時点で、ＩＣカード機能を自動でロック状態に戻すオートロックステップとを有することを特徴とする。
【００２８】
尚、本発明のＩＣカード機能ロック制御プログラムおよびＩＣカード機能ロック制御方法については、ここでは基本的な形態のみを示したが、それらのプログラムおよび制御方法には、本発明の携帯機器の各種態様に対応する各種の態様が全て含まれる。
【発明の効果】
【００２９】
以上説明したとおり、本発明によれば、利便性を保ちつつ安全性を向上させることができる。
【発明を実施するための最良の形態】
【００３０】
以下、本発明の実施形態について説明する。
【００３１】
図１は、本発明の一実施形態としての携帯端末装置の内面側を示す外観斜視図、図２は、図１に示す携帯端末装置と同一の携帯端末装置の背面側を示す外観斜視図である。
【００３２】
この携帯端末装置１０は、互いに開閉する上部筐体２０と下部筐体３０とで構成されており、上部筐体２０の内面側には、図１に示すように、画像を表示するための、透明なアクリル板等の窓材で覆われた大面積のメイン画面表示窓２１や、内部に小型のスピーカが配備され耳に宛がわれて音声を出力する送話口２２が配備され、また、上部筐体２０の背面側には、図２に示すように、時刻やその他の画像を表示するための、小面積のサブ画面表示窓２３が配備されている。このサブ画面表示窓２３も透明なアクリル板等の窓材で覆われている。
【００３３】
また、下部筐体３０には、図１に示すように、その内面側に、多数の操作ボタン３１、内部に小型のマイクロホンが配備され、ユーザの声をそのマイクロホンに伝える受話口３２、および内部に、耳から離していても聞き取れるだけの音量の音声を出力するスピーカが配備された発音口３３が備えられており、また、下部筐体３０の背面側には、図２に示すように、アンテナ３４や内部の電池室に装填された電池を覆う電池蓋３５が備えられている。また、下部筐体３０の側面にも操作ボタン３６が配置されている。
【００３４】
この図１，図２に示す携帯端末装置１０には、ＩＣカード用のＩＣチップ（ＲＦＩＤ）が搭載されており、この携帯端末装置１０は、本来の機能としての電話の送受話や電子メールの機能を有するほか、ＩＣカードとしての機能を有する。
【００３５】
図３は、図１、図２に外観を示す携帯端末装置の内部構成を示すブロック図である。
【００３６】
この図３には、アンテナ３４、無線送受信部４１、制御部４２、メモリ４３、インターフェイス４４、スピーカ４５、マイクロホン４６、表示画面４７、入力操作部４８、およびＩＣカード４９が示されている。
【００３７】
無線送受信部４１は、制御部４２から受け取った信号をアンテナ３４を使って無線で送信したり、アンテナ３４を使って無線信号を受信して受信した信号を制御部４２に送る役割を担っている回路ブロックである。また、制御部４２は、プログラムの実行により、この携帯端末装置全体の動きの制御や各種の演算処理を担うブロックである。メモリ４３は、この携帯端末装置の動作に必要な各種の値やプログラムを記憶しておくメモリである。この図３には、後に説明するＩＣカード機能のロック、ロック解除に必要な要素として、（ａ）ＩＣカードロック解除タイマを実現するタイマプログラム、（ｂ）ＩＣカードロック解除タイマで計測された時間と比較される閾値時間、（ｃ）ＩＣカードを時間的なスケジュールでブロックおよびロック解除を行なうための、時間的なスケジュール、（ｄ）ＩＣカードのロックおよびロック解除を制御するための、ＩＣカードロック制御プログラム、（ｅ）ＩＣカード自動ロックが有効（ＯＮ）であるか無効（ＯＦＦ）であるかを示すＩＣカード自動ロックＯＮ／ＯＦＦフラグおよび（ｆ）ＩＣカード自動ロック状態を記憶しておくためのＩＣカード自動ロック状態記憶フラグが示されている。これらについての詳細は後述する。尚、（ｂ）の閾値時間と（ｃ）のスケジュールと（ｅ）のＩＣカード自動ロックＯＮ／ＯＦＦフラグは、後述する入力操作部４８の操作により変更することができる。
【００３８】
インターフェイス４４は、制御部４２と、スピーカ４５、マイクロホン４６、表示画面４７、入力操作部４８、およびＩＣカード４９との間の信号のやりとりを仲介している。
【００３９】
スピーカ４５は、制御部４２からインターフェイス４４を介して送られてきた音声信号を音声として出力するものであり、マイクロホン４６はユーザの話し声をピックアップして、インターフェイス４４を介して制御部４２に送るものである。電話の送受話は、これらのスピーカ４５やマイクロホン４６を使って行なわれる。
【００４０】
表示画面４７は、ここでは１つのブロックで示されているが、図１に示すメイン画面表示窓２１から視認されるメイン画面と、図２に示すサブ画面表示窓２３から視認されるサブ画面との総称である。この表示画面４７上には入力されたメール文章や、受信メールや、その他各種の情報が表示される。入力操作部４８は、図１に示す多数の操作ボタン３１や、図１、図２に示す操作ボタン３６の総称である。この入力操作部４８では、ユーザにより、メール文章やその他各種の指示が入力操作される。
【００４１】
また、ＩＣカード４９は、必ずしもカード形状とは関係ないが、ＩＣカードとしての機能を実現するブロックである。このＩＣカード４９には、この携帯端末装置の電源がオフの状態においても電力が供給されており、このため、このＩＣカード４９は、この携帯端末装置の電源がオフの状態においても作用する。ただし、このＩＣカードの機能を停止させる（ロックする）ことや機能停止状態（ロック状態）にあるＩＣカードの機能を有効にする（ロック解除する）ことは、制御部４２の指示に基づいて行なわれるため、この携帯端末装置の電源がオンのときにのみ可能となっている。
【００４２】
尚、この携帯端末装置は、着脱自在な電池パックが装着され、その装備された電池パックから電力供給を受けて動作するように構成されている。このため、例えばこの携帯端末装置を落下したりしたときに電池パックが外れるとＩＣカード４９にも電力が供給されなくなる。このときには、このＩＣカード４９は自動的にロック状態となるように構成されている。
【００４３】
以下では、ＩＣカード４９の状態を、ロック状態とロック解除状態との間で変更する動作に絞って説明を続ける。
【００４４】
図４は、図３に示すメモリ４３に格納され、制御部４２で実行されるＩＣカードロック制御プログラムの一部であるＩＣカード自動ロックプログラムを示すフローチャートである。
【００４５】
図３に示す入力操作部４８を使ってＩＣカードのロックを解除するためのロック切替操作を行ない、かつ、その時点でＩＣカード自動ロックが有効になっている（図３に示すメモリ４３中の（ｅ）ＩＣカード自動ロックＯＮ／ＯＦＦフラグがＯＮになっている）と、この図４に示すＩＣカード自動ロックプログラムの実行が開始される。
【００４６】
ここでは先ず、ＩＣカード４９（図３参照）のロックが解除されて（ステップＳ０１）、さらにＩＣカードロック解除タイマが発動され（ステップＳ０２）、その後の経過時間が計測される。次に、そのＩＣカードロック解除タイマにより所定時間（図３に示すメモリ４３に記憶されている（ｂ）の閾値時間）の経過が計測されるまで待って（ステップＳ０３）、ＩＣカードが再びロックされる（ステップＳ０４）。
【００４７】
このようにして、ＩＣカードのロックを解除するためのロック切替操作を行なうと、ロックが一旦解除されて一定時間（閾値時間）経過後に再びロックされ、また、ロック切替操作を行なったときにロック解除状態にあったときは、そのロック切替操作によりロック状態に移行する。
【００４８】
図５は、ＩＣカードロック制御プログラムの一部であるスケジュール管理プログラムのフローチャートである。図３に示す制御部４２は現在時刻を認識する時計を有しており、この図５に示すスケジュール管理プログラムは、メモリ４３の（ｃ）のスケジュールのうちのロック解除時刻に達したときに実行される。
【００４９】
この図５に示すスケジュール管理プログラムの実行が開始されると先ず、ＩＣカードロック解除タイマがすでに動作中であるか否かが判定される（ステップＳ１１）。
【００５０】
このステップＳ１１に関して、図６を参照して説明する。尚、図６自身の詳細については後述する。
【００５１】
本実施形態では、ロック状態（ＯＮ）からロック解除状態（ｏｆｆ）への移行の時刻と、ロック解除状態（ｏｆｆ）からロック状態（ＯＮ）への移行の時刻とのペア（このペアを、ここではスケジュールと称する）を７つ（スケジュール１〜スケジュール７）持つことができる。各スケジュール（例えばスケジュール１）では、ロック状態をＯＮからｏｆｆに移行させる時刻に達すると、ＩＣカードのロック状態をＯＮからｏｆｆに移行させるとともに、その時刻から、そのスケジュール（例えばスケジュール１）における、ロック状態ｏｆｆからＯＮに移行させる時刻までの時間を、ＩＣカードロック解除タイマで計時させ、その時間が計時された時点で、ロック状態の、ｏｆｆからＯＮへ移行が行なわれる。ここで、図６に示すスケジュール１とスケジュール２を見ると、スケジュール１についてロック状態ＯＮからｏｆｆへの移行が行なわれ、ＩＣカードロック解除タイマが発動されて計時している途中で、すなわちスケジュール１についてロック状態がｏｆｆになっている途中で、スケジュール２についてロック状態ＯＮからｏｆｆへの移行の時刻が到来する設定となっている。図５のステップＳ１１は、このような状況を判定するためのステップである。
【００５２】
ステップＳ１１で、ＩＣカードロック解除タイマ動作中であると判定されたときは（例えば、図６のスケジュール２のロック状態ＯＮからｏｆｆへの移行のタイミングでは、スケジュール１に関してＩＣカードロック解除タイマが既に動作中である）、ステップＳ２８に進むが、ここでは、先ずは単純な場合について説明することとし、ステップＳ１１では、ＩＣカードロック解除タイマが動作中ではないと判定されたものとする。このときは、ステップＳ１２に進み、このステップＳ１２では、ＩＣカードがロックされている（ロック状態にある、ロック状態ＯＮ）であるか否かが判定される。このステップＳ１２でＩＣカードがロックされていない（ロック解除状態にある、ロック状態ｏｆｆ）と判定されるということは、スケジュールに従ってロック状態ＯＮからｏｆｆに移行させるタイミングよりも前に、ユーザ操作によりロック状態がｏｆｆに変更されていたことを意味する。ステップＳ１２においてＩＣカードがロックされていないと判定されると、何もせずに、特にはＩＣカードロック解除タイマを動作させずに、そのまま終了する。
【００５３】
一方、ステップＳ１２でＩＣカードがロックされていると判定されると、ステップＳ１３に進み、ＩＣカードのロックが解除され、さらにＩＣカードロック解除タイマが発動されて時間計測が開始される（ステップＳ１４）。次のステップＳ１５では、ＩＣカード自動ロックＯＮ状態か否かが判定される。この「ＩＣカード自動ロックＯＮ状態」とは、ユーザ操作により、図４にフローチャートを示したプログラムが起動され得る状態になっていることを意味している。この「ＩＣカード自動ロックＯＮ状態」にあるか否かは、図３に示すメモリ４３に記憶されたＩＣカード自動ロックＯＮ／ＯＦＦフラグを参照することによって判定される。「ＩＣカード自動ロックＯＮ状態」ではない場合、すなわち「ＩＣカード自動ロックＯＦＦの状態にある場合は、ユーザによるロック解除操作があると、ＩＣカードのロック状態がＯＮからｏｆｆへと単純に移行し、またロック操作があるとＩＣカードのロック状態がｏｆｆからＯＮへと移行する。尚、このユーザ操作と、図５に示すスケジュール管理プログラムとの関連についてはステップＳ１９以降で説明する。
【００５４】
ステップＳ１５でＩＣカード自動ロックＯＮ状態にあると判定されると、ステップＳ１６に進み、ＩＣカード自動ロックがＯＦＦに変更され（図３のＩＣカード自動ロックＯＮ／ＯＦＦフラグがＯＦＦに変更され）、さらに、図３のＩＣカード自動ロック状態記憶フラグがＯＮにセットされる。このＩＣカード自動ロック状態記憶フラグは、そのＩＣカード自動ロックを後でＯＮ状態に復活させる（ＩＣカード自動ロックＯＮ／ＯＦＦフラグをＯＮに戻す）か否かを覚えておくためのフラグである（ステップＳ２２，Ｓ２５参照）
一方、ステップＳ１５においてＩＣカード自動ロックＯＮではないと判定されるステップＳ１８においてＩＣカード自動ロック状態記憶フラブがＯＦＦにリセットされる。
【００５５】
ステップＳ１７でＩＣカード自動ロック状態記憶フラグがＯＮにセットされ、あるいはステップＳ１８においてＩＣカード自動ロック状態記憶フラグＯＦＦにリセットされた後、ユーザによるロック状態への移行操作の有無の判定（ステップＳ１９）およびＩＣカードロック解除タイマ終了時刻（ＩＣカードをロック解除状態から再びロック状態に移行する時刻）に達したか否かの判定（ステップＳ１２）が行なわれる。
【００５６】
ユーザ操作がないまま（ステップＳ１９）、ＩＣカードロック解除タイマ終了時刻に達した時（ステップＳ１２）は、ステップＳ２１においてＩＣカード自動ロック状態記憶フラグがＯＮ状態にあるか否かが判定され、ＯＮ状態にあった場合は、ＩＣカード自動ロックＯＮ／ＯＦＦフラグをＯＮに戻すことによりＩＣカード自動ロックのルーチン（図４参照）が有効に作用する状態に復帰させた後、（ステップＳ２２）、ＩＣカードがロック状態に戻される（ステップＳ２３）。
【００５７】
ステップＳ２１で、ＩＣカード自動ロック状態記憶フラグがＯＮではない（ＯＦＦである）と判定された時は、ＩＣカード自動チェックのルーチンはＯＦＦ状態のまま、ＩＣカードがロック状態に戻される（ステップＳ２３）。
【００５８】
一方、ＩＣカードロック解除タイマ終了時刻に達する（ステップＳ２０）よりも前にユーザ操作があったときは（ステップＳ１９）、ステップＳ２４において、ステップＳ２１と同様に、ＩＣカード自動ロックフラグがＯＮであるか否かが判定され、ＩＣカード自動ロック状態記憶フラグがＯＮのときは、ＩＣカード自動ロックＯＮ／ＯＦＦフラグをＯＮに復帰させることによりＩＣカード自動ロックをＯＮ状態に復帰させ（ステップＳ２５）、あるいは、ＩＣカード自動ロック状態記憶フラグがＯＮではない（ＯＦＦである）ときは、ＩＣカード自動ロックをＯＦＦ状態に維持したまま、ＩＣカードロック解除タイマを時間計測の途中で終了させ（ステップＳ２６）、さらにＩＣカードがロック状態に戻される（ステップＳ２９）。
【００５９】
次に、ステップＳ１１で、この図５に示すスケジュール管理プログラムが起動された時点で既にＩＣカードロック解除タイマが動作中であると判定されたときはステップＳ２８に進み、既に動作中のＩＣカードロック解除タイマの時間計測が先に終わるか（図６のスケジュール２の、ロック状態ＯＮからｏｆｆへの移行のタイミングがこれに当たる）、あるいは、後で動作した方が先に終わるか（図６のスケジュール６の、ロック状態ＯＮからｏｆｆへの移行のタイミングがこれに当たる）が判定され、後で動作した方が先に終わる場合は、何もせずに、すなわち、ＩＣカードロック解除タイマを新ためて動作させることなく、そのまま終了する。一方、動作中のＩＣカードロック解除タイマが先に終わるときは、ＩＣカードロック解除タイマが新たに発動されて時間計測が新たに開始されるとともに（ステップＳ２９）、先に動作していたＩＣカードロック解除タイマの強制終了が行われる（ステップＳ３０）。このとき、先に動作していたＩＣカードロック解除タイマが発動した時点で設定したＩＣカード自動ロック状態記憶フラグのＯＮ、ＯＦＦはそのまま引き継がれる。
【００６０】
このステップ３０の後は、ステップＳ１９に進み、上述したとおりの動作が実行される。
【００６１】
図４、図５に示したルーチンは基本的なルーチンであり、以下では、本実施形態における、ＩＣカードのロックＯＮ、ｏｆｆの各種態様を説明する。
【００６２】
図６は、複数のスケジュールの競合によるロックのＯＮ、ｏｆｆの変化を示す図である。
【００６３】
複数のスケジュールのロック解除の時間が重なったときは、いずれか１つのスケジュールのロック解除のトータルの時間がロック状態ｏｆｆとなる。
【００６４】
図７は、スケジュールとユーザ動作との競合があったときのロックＯＮ、ｏｆｆの変化を示す図である。ここでは、自動ロック（図４を参照して説明した、ユーザ操作によりロック解除（ロックＯＦＦ）され、所定時間後に自動的に再びロックＯＮに戻る処理）はＯＦＦされているものとする。
【００６５】
ロック状態にあるときに、ユーザ動作によりロックｏｆｆに移行し、ロックｏｆｆ状態にあるときにスケジュールによるロックｏｆｆの時刻に達してもそのスケジュールは発動せずに無効となる（スケジュール１）。
【００６６】
また、ロックＯＮ状態でスケジュールによるロックｏｆｆの時刻が到来すると、そのスケジュールによるロックｏｆｆの時刻にＩＣカードがロックｏｆｆになるが、そのロックｏｆｆの状態でユーザ動作によりロックＯＮに移行すると、そのスケジュールの、ユーザ動作によるロックＯＮ以降は無効となる（スケジュール２）。
【００６７】
また、ロックＯＮ状態でスケジュールによるロックｏｆｆの時刻が到来すると、そのスケジュールによるロックｏｆｆの時刻にロックｏｆｆとなるが、そのロックｏｆｆの状態で、ユーザ動作によりロックＯＮになると、その時点でスケジュールは無効となるため、ユーザ操作により再びロックｏｆｆにされても、その後、そのスケジュールの、本来のロックＯＮの時刻が到来しても、ロックｏｆｆのままとなる（スケジュール３）。
【００６８】
図８はスケジュールと自動ロックとの競合があったときのロックのＯＮ、ｏｆｆの変化を示す図である。ここで、自動ロックとは、前述したとおり、図４を参照して説明した、ユーザ操作によりロック解除（ロックｏｆｆ）し、所定の時間経過後に自動的に再びロックＯＮに戻す処理をいう。
【００６９】
スケジュール１によりロック解除されているときにユーザによりさらにロック解除の操作がなされると、それ以降、スケジュール１が無効となり、自動ロックが有効となり、その自動ロックのための所定時間経過後にロックＯＮとなる。
【００７０】
また、スケジュール２によりロック解除された後、ユーザによりさらにロック解除の操作がなされると、それ以降、スケジュール２が無効となり、この場合も、自動ロックのための所定時間経過後にロックＯＮとなる。
【００７１】
一方、ロックＯＮのときにユーザ操作によりロックが解除され、自動ロックのための所定時間経過前にスケジュール３によるロックｏｆｆの時刻が到来するとその時点で自動ロックの方が無効となり、スケジュール３によるロックＯＮの時刻に達した時点でロックＯＮとなる。
【００７２】
図９は、スケジュールとこの携帯端末装置の電源ＯＮ、ＯＦＦとの競合があったときのロックＯＮ、ｏｆｆの変化を示す図である。
【００７３】
前述した通り、本実施形態では、電源ＯＦＦの状態ではロックＯＮとロックｏｆｆとの間で状態を変化させることはできない。そこで、ここでは、スケジュールによるロックＯＮの時刻と電源ＯＮの時刻とのうちの遅い時刻でロックＯＮとなるように構成されている。
【００７４】
スケジュール１でロックｏｆｆされた後電源ＯＦＦとなり再び電源ＯＮとなった後にスケジュール１のロックＯＮの時刻に到ったときは、そのスケジュール１によるロックＯＮの時刻でロックＯＮとなる。
【００７５】
スケジュール２でロックｏｆｆされた後、電源ＯＦＦとなり、電源ＯＦＦの期間中にスケジュール２のロックＯＮの時刻に達し、その後電源ＯＮとなった時は、電源ＯＮとなった時点でロックＯＮとなる。
【００７６】
ロックＯＮの状態のとき電源がＯＦＦされ、その後スケジュール３のロックｏｆｆの時刻に達し、そのスケジュール３のロックＯＮの時刻よりも前に電源が再びＯＮとなった時は、その電源ＯＮの時点でスケジュール３が働いてロックｏｆｆとなり、そのスケジュール３のロックＯＮの時刻の到来によってロックＯＮとなる。
【００７７】
ロックＯＮの状態のときに電源がＯＦＦになっても、さらにその後電流がＯＮになっても、ロックＯＮの状態が維持される。
【００７８】
図１０は、スケジュールと、自動ロックと、電源ＯＮ／ＯＦＦとの競合があったときのロックＯＮ、ｏｆｆの変化を示す図である。
【００７９】
ユーザ操作によりロックｏｆｆにされた後、自動ロックのための所定時間が経過する前に電源がＯＦＦされると、電源ＯＦＦの時点でロックＯＮとなる。
【００８０】
電源ＯＮの状態でスケジュール１のロックｏｆｆの時刻に達し、スケジュール１のロックＯＮの時刻よりも前にユーザによりさらにロックｏｆｆの操作がなされると、スケジュール１はそのユーザ操作により無効となるが自動ロックが時間計測を開始し、その自動ロックにより再びロックＯＮとなるよりも前に電源がＯＦＦになると、その電源ＯＦＦの時点でロックＯＮとなる。
【００８１】
電源ＯＦＦのままスケジュール２によるロックｏｆｆの時刻に到ってもロックＯＮが継続し、電源ＯＮの時点でロックｏｆｆとなり、スケジュール２のロックＯＮの時刻にロックＯＮとなる。
【００８２】
電源ＯＮの状態でスケジュール３によるロックｏｆｆの時刻に達するとロックｏｆｆとなり、ユーザ操作によりさらにロックｏｆｆの操作がなされ、その後電源がＯＦＦされると電源ＯＦＦの時点でロックＯＮとなる。
【００８３】
また、ロックＯＮの状態におけるユーザ操作によりロックｏｆｆとなり、その後電源ＯＦＦになるとその時点でロックＯＮとなり、その直後にスケジュール４によるロックｏｆｆの時刻が到来しても電源ＯＦＦの状態にあるのでロックＯＮの状態は変化せず、電源ＯＮの時点で、まだスケジュール４によるロックｏｆｆの期間中なのでロックｏｆｆとなり、スケジュール４による、ロックｏｆｆの期間満了の時点（ロックＯＮの時点）でロックＯＮとなる。
【００８４】
図１１は、スケジュールと電池パック脱着および電源ＯＮとの競合があったときのＩＣカードのロックＯＮ、ｏｆｆの状態を示す図である。
【００８５】
この携帯端末装置の落下等により電池パックが外れたときはＩＣカード自体にも電力が供給されなくなり、ＩＣカードはロック状態となる。
【００８６】
一方、電池パックが装着されても装着されたことのみをもっては電源はＯＮとはならず、したがって電池パックの装着は、ＩＣカードのロックＯＮ、ＯＦＦとの関係では無視される。電池パックが装着された後ユーザにより電源ＯＮの操作がなされた時は、これまで説明してきた電源ＯＮと同じの動作となる。
【００８７】
スケジュール１でロックｏｆｆになった後、電池パックが外れるとその時点でロックＯＮとなり、電池パックが装着された時点ではロックＯＮが維持され、電源ＯＮの時点ではまだスケジュール１によるロックｏｆｆ状態が続いているため、その電源ＯＮの時点でロックｏｆｆとなり、スケジュール１によるロックｏｆｆ期間の満了時にロックＯＮとなる。
【００８８】
スケジュール２でロックｏｆｆになった後、電池パックが外れると、その時点でロックＯＮとなり、電池パックが装着されてもロックＯＮが維持され、スケジュール２による、ロックＯＮの時点を経過した後になって電源がＯＮされてもロックＯＮが維持され、その後再度電池パックが外れてもロックＯＮの状態が維持され、電池パックを装着する前にスケジュール３によるロックｏｆｆの時刻に達してもロックＯＮが維持され、その後電池パックが装着されてもロックＯＮが維持され、電源ＯＮの時点で、まだスケジュール３によるロックｏｆｆの期間が継続しているためロックｏｆｆとなり、スケジュール３によるロックＯＮの時刻の到来によりロックＯＮとなる。
【００８９】
図１２は、スケジュールと自動ロックと電池パック着脱と電源ＯＮとの競合によるＩＣカードのロックＯＮ、ｏｆｆを示す図である。
【００９０】
ユーザ操作によりロックｏｆｆとなり、自動ロックによるロック解除期間中に電池パックが外れるとその時点でロックＯＮとなり、その後の電池パック装着、電源ＯＮでもロックＯＮが維持される。
【００９１】
また、スケジュール１によりロックｏｆｆとなり、その後ユーザによりさらにロックｏｆｆの操作がなされるとスケジュール１は無効となり自動ロックが作用するが、その自動ロックによるロック解除期間中に電池パックが装着されてもロックＯＮが維持され、さらにスケジュール２によるロックｏｆｆの時刻が到達してもロックＯＮが維持される。その後スケジュール２によるロックｏｆｆの期間中に電源がＯＮになるとその電源ＯＮの時点でロックｏｆｆとなり、スケジュール２のロックＯＮの時点で再びロックＯＮとなる。
【００９２】
その後、スケジュール３によるロックｏｆｆの時刻に達するとロックｏｆｆとなり、ユーザによりさらにロックｏｆｆの操作がされるとスケジュル３が無効となって自動ロックが作用し、その自動ロックによるロック解除期間中に電池パックが外れるとその時点でロックＯＮとなり、その後の電池パックの装着の時点および、電源ＯＮの時点でもロックＯＮが維持される。
【００９３】
ロックＯＮの状態でユーザ操作よりロックｏｆｆにされ、自動ロックによるロックｏｆｆ期間中に電池パックが外れるとその時点でロックＯＮとなり、スケジュール４によるロックｏｆｆの時刻に至ってもロックＯＮが維持され、電池パックが装着されてもロックＯＮが維持され、スケジュール４のロックｏｆｆ維持期間中に電源がＯＮになるとその時点でロックｏｆｆとなり、スケジュール４のロックＯＮの時点でロックＯＮとなる。
【００９４】
本実施形態では、以上のようにして、スケジュールと、自動ロックと、電源ＯＮ／ＯＦＦと、更に電池パックの脱／着との間の競合が解決されている。
【００９５】
以下、本発明の各種態様について付記する。
【００９６】
（付記１）
近距離無線通信により所期の作用を成すＩＣカード機能が組み込まれた携帯機器において、
前記ＩＣカード機能を、ユーザ操作により、該ＩＣカード機能が停止したロック状態と、該ＩＣカード機能が有効なロック解除状態との間で切り替えるロック切替操作子と、
前記ロック切替操作子の操作による、前記ＩＣカード機能のロック解除の時点からの時間を計測するタイマと、
前記タイマによる計測時間が所定の閾値時間に達した時点で、前記ＩＣカード機能を自動で前記ロック状態に戻すオートロック処理部とを備えたことを特徴とする携帯機器。
【００９７】
（付記２）
前記閾値時間をユーザ操作により設定する閾値設定部を備えたことを特徴とする付記１記載の携帯機器。
【００９８】
（付記３）
この携帯機器の電源をオン、オフする電源スイッチを備え、
前記オートロック処理部は、前記ロック切替操作子の操作により前記ＩＣカードの機能のロックが解除された後、前記タイマによる計測時間が前記閾値時間に達する前にこの携帯機器の電源がオフされたときは、前記ＩＣカード機能を、電源オフの時点でロック状態に戻すことを特徴とする付記１記載の携帯機器。
【００９９】
（付記４）
現在時刻を認識する時計部と、
前記ロック状態にあるＩＣカード機能の前記ロック解除状態への移行と、前記ロック解除状態にあるＩＣカード機能の前記ロック状態への移行との双方を時間的なスケジュールで行なうスケジュール管理部とを、さらに備えたことを特徴とする付記１記載の携帯機器。
【０１００】
（付記５）
前記スケジュール管理部は、前記ロック状態にあるＩＣカード機能を前記ロック解除状態へ移行させたときに前記オートロック処理部の機能を停止させるとともに、前記ロック解除状態にあるＩＣカード機能を前記ロック状態へ移行させたときに前記オートロック処理部の機能を復活させるものであることを特徴とする付記４記載の携帯機器。
【０１０１】
（付記６）
前記スケジュール管理部は、前記ロック状態にあるＩＣカード機能を前記ロック解除状態へ移行させる第１の時刻に達したときに該ＩＣカード機能が既にロック解除状態にあったときは、該ロック解除状態にあるＩＣカード機能を再びロック状態へ移行させる第２の時刻に達しても、該第２の時刻における、ロック状態もしくはロック解除状態にあるＩＣカード機能の状態を、引き続き維持させるものであることを特徴とする付記４記載の携帯機器。
【０１０２】
（付記７）
前記スケジュール管理部は、前記ロック状態にあるＩＣカード機能を前記ロック解除状態へと移行させた後、該ロック解除状態にあるＩＣカード機能を再びロック状態へ移行させる時刻に達する前に、前記ロック切替操作子が１回以上操作されたときは、該ロック解除状態にあるＩＣカード機能を再びロック状態へ移行させる時刻に達しても、該時刻におけるロック状態もしくはロック解除状態にあるＩＣカード機能の状態を引き続き維持させるものであることを特徴とする付記４記載の携帯機器。
【０１０３】
（付記８）
この携帯機器の電源をオン、オフする電源スイッチを備え、
前記スケジュール管理部は、前記ロック状態にあるＩＣカード機能を前記ロック解除状態へと移行させた後、該ロック解除状態にあるＩＣカード機能を再びロック状態へ移行させる時刻に達する前にこの携帯機器の電源がオフされたときは、前記ＩＣカード機能を、この携帯機器の電源が再びオンされた時点および該ロック解除状態にあるＩＣカード機能を再びロック状態へ移行させる時刻に達した時点のうちの遅い方の時点で、ロック状態へ移行させるものであることを特徴とする付記４記載の携帯機器。
【０１０４】
（付記９）
近距離無線通信により所期の作用を成すＩＣカード機能が組み込まれた携帯機器内で実行され、該携帯機器を、
前記ＩＣカード機能を、ユーザ操作により、該ＩＣカード機能が停止したロック状態と、該ＩＣカード機能が有効なロック解除状態との間で切り替えるロック切替操作子と、
前記ロック切替操作子の操作による、前記ＩＣカード機能のロック解除の時点からの時間を計測するタイマと、
前記タイマによる計測時間が所定の閾値時間に達した時点で、前記ＩＣカード機能を自動で前記ロック状態に戻すオートロック処理部とを備えた携帯機器として動作させることを特徴とするＩＣカード機能ロック制御プログラム。
【０１０５】
（付記１０）
前記携帯機器を、前記閾値時間をユーザ操作により設定する閾値設定部をさらに備えた携帯機器として動作させることを特徴とする付記９記載のＩＣカード機能ロック制御プログラム。
【０１０６】
（付記１１）
この携帯機器が電源をオン、オフする電源スイッチを備えたものであって、
前記オートロック処理部は、前記ロック切替操作子の操作により前記ＩＣカードの機能のロックが解除された後、前記タイマによる計測時間が前記閾値時間に達する前にこの携帯機器の電源がオフされたときは、前記ＩＣカード機能を、電源オフの時点でロック状態に戻すことを特徴とする付記９記載のＩＣカード機能ロック制御プログラム。
【０１０７】
（付記１２）
この携帯機器が現在時刻を認識する時計部を備えたものであって、
前記携帯機器を、前記ロック状態にあるＩＣカード機能の前記ロック解除状態への移行と、前記ロック解除状態にあるＩＣカード機能の前記ロック状態への移行との双方を時間的なスケジュールで行なうスケジュール管理部をさらに備えた携帯機器として動作させることを特徴とする付記９記載のＩＣカード機能ロック制御プログラム。
【０１０８】
（付記１３）
前記スケジュール管理部は、前記ロック状態にあるＩＣカード機能を前記ロック解除状態へ移行させたときに前記オートロック処理部の機能を停止させるとともに、前記ロック解除状態にあるＩＣカード機能を前記ロック状態へ移行させたときに前記オートロック処理部の機能を復活させるものであることを特徴とする付記１２記載のＩＣカード機能ロック制御プログラム。
【０１０９】
（付記１４）
前記スケジュール管理部は、前記ロック状態にあるＩＣカード機能を前記ロック解除状態へ移行させる第１の時刻に達したときに該ＩＣカード機能が既にロック解除状態にあったときは、該ロック解除状態にあるＩＣカード機能を再びロック状態へ移行させる第２の時刻に達しても、該第２の時刻における、ロック状態もしくはロック解除状態にあるＩＣカード機能の状態を、引き続き維持させるものであることを特徴とする付記１２記載のＩＣカード機能ロック制御プログラム。
【０１１０】
（付記１５）
前記スケジュール管理部は、前記ロック状態にあるＩＣカード機能を前記ロック解除状態へと移行させた後、該ロック解除状態にあるＩＣカード機能を再びロック状態へ移行させる時刻に達する前に、前記ロック切替操作子が１回以上操作されたときは、該ロック解除状態にあるＩＣカード機能を再びロック状態へ移行させる時刻に達しても、該時刻におけるロック状態もしくはロック解除状態にあるＩＣカード機能の状態を引き続き維持させるものであることを特徴とする付記１２記載のＩＣカード機能ロック制御プログラム。
【０１１１】
（付記１６）
この携帯機器が電源をオン、オフする電源スイッチを備えたものであって、
前記スケジュール管理部は、前記ロック状態にあるＩＣカード機能を前記ロック解除状態へと移行させた後、該ロック解除状態にあるＩＣカード機能を再びロック状態へ移行させる時刻に達する前にこの携帯機器の電源がオフされたときは、前記ＩＣカード機能を、この携帯機器の電源が再びオンされた時点および該ロック解除状態にあるＩＣカード機能を再びロック状態へ移行させる時刻に達した時点のうちの遅い方の時点で、ロック状態へ移行させるものであることを特徴とする付記１２記載のＩＣカード機能ロック制御プログラム。
【０１１２】
（付記１７）
近距離無線通信により所期の作用を成すＩＣカード機能が組み込まれ、該ＩＣカード機能を、ユーザ操作により、該ＩＣカード機能が停止したロック状態と、該ＩＣカード機能が有効なロック解除状態との間で切り替えるロック切替操作子を備えた携帯機器における、該ＩＣカード機能のロックおよびロック解除を制御するＩＣカード機能ロック制御方法において、
前記ロック切替操作子の操作による、前記ＩＣカード機能のロック解除の時点からの時間を計測する計時ステップと、
前記計時ステップによる計測時間が所定の閾値時間に達した時点で、前記ＩＣカード機能を自動で前記ロック状態に戻すオートロックステップとを有することを特徴とするＩＣカード機能ロック制御方法。
【０１１３】
（付記１８）
前記閾値時間をユーザ操作により設定する閾値設定ステップをさらに有することを特徴とする付記１７記載のＩＣカード機能ロック制御方法。
【０１１４】
（付記１９）
この携帯機器が電源をオン、オフする電源スイッチを備えたものであって、
前記オートロックステップは、前記ロック切替操作子の操作により前記ＩＣカードの機能のロックが解除された後、前記計時ステップにおける計測時間が前記閾値時間に達する前にこの携帯機器の電源がオフされたときは、前記ＩＣカード機能を、電源オフの時点でロック状態に戻すステップであることを特徴とする付記１７記載のＩＣカード機能ロック制御方法。
【０１１５】
（付記２０）
この携帯機器が、現在時刻を認識する時計部を備えたものであって、
前記ロック状態にあるＩＣカード機能の前記ロック解除状態への移行と、前記ロック解除状態にあるＩＣカード機能の前記ロック状態への移行との双方を時間的なスケジュールで行なうスケジュール管理ステップを、さらに有することを特徴とする付記１７記載のＩＣカード機能ロック制御方法。
【０１１６】
（付記２１）
前記スケジュール管理ステップは、前記ロック状態にあるＩＣカード機能を前記ロック解除状態へ移行させたときに前記オートロックステップの処理を禁止させるとともに、前記ロック解除状態にあるＩＣカード機能を前記ロック状態へ移行させたときに前記オートロックステップの処理を再開させるステップであることを特徴とする付記１７記載のＩＣカード機能ロック制御方法。
【０１１７】
（付記２２）
前記スケジュール管理ステップは、前記ロック状態にあるＩＣカード機能を前記ロック解除状態へ移行させる第１の時刻に達したときに該ＩＣカード機能が既にロック解除状態にあったときは、該ロック解除状態にあるＩＣカード機能を再びロック状態へ移行させる第２の時刻に達しても、該第２の時刻における、ロック状態もしくはロック解除状態にあるＩＣカード機能の状態を、引き続き維持させるステップであることを特徴とする付記１７記載のＩＣカード機能ロック制御方法。
【０１１８】
（付記２３）
前記スケジュール管理ステップは、前記ロック状態にあるＩＣカード機能を前記ロック解除状態へと移行させた後、該ロック解除状態にあるＩＣカード機能を再びロック状態へ移行させる時刻に達する前に、前記ロック切替操作子が１回以上操作されたときは、該ロック解除状態にあるＩＣカード機能を再びロック状態へ移行させる時刻に達しても、該時刻におけるロック状態もしくはロック解除状態にあるＩＣカード機能の状態を引き続き維持させるステップであることを特徴とする付記１７記載のＩＣカード機能ロック制御方法。
【０１１９】
（付記２４）
この携帯機器が電源をオン、オフする電源スイッチを備えたものであって、
前記スケジュール管理ステップは、前記ロック状態にあるＩＣカード機能を前記ロック解除状態へと移行させた後、該ロック解除状態にあるＩＣカード機能を再びロック状態へ移行させる時刻に達する前にこの携帯機器の電源がオフされたときは、前記ＩＣカード機能を、この携帯機器の電源が再びオンされた時点および該ロック解除状態にあるＩＣカード機能を再びロック状態へ移行させる時刻に達した時点のうちの遅い方の時点で、ロック状態へ移行させるステップであることを特徴とする付記１７記載のＩＣカード機能ロック制御方法。
【図面の簡単な説明】
【０１２０】
【図１】本発明の一実施形態としての携帯端末装置の内面側を示す外観斜視図である。
【図２】図１に示す携帯端末装置と同一の携帯端末装置の背面側を示す外観斜視図である。
【図３】図１、図２に外観を示す携帯端末装置の内部構成を示すブロック図である。
【図４】ＩＣカードロック制御プログラムの一部であるＩＣカード自動ロックプログラムを示すフローチャートである。
【図５】ＩＣカードロック制御プログラムの一部であるスケジュール管理プログラムのフローチャートである。
【図６】図６は、複数のスケジュールによるロックのＯＮ、ｏｆｆの変化を示す図である。
【図７】図７は、スケジュールとユーザ動作との競合があったときのロックＯＮ、ｏｆｆの変化を示す図である。
【図８】スケジュールと自動ロックとの競合があったときのロックのＯＮ、ｏｆｆの変化を示す図である。
【図９】スケジュールとこの携帯端末装置の電源ＯＮ、ＯＦＦとの競合があったときのロックＯＮ、ｏｆｆの変化を示す図である。
【図１０】スケジュールと、自動ロックと、電源ＯＮ／ＯＦＦとの競合があったときのロックＯＮ、ｏｆｆの変化を示す図である。
【図１１】スケジュールと電池パック脱着および電源ＯＮとの競合があったときのＩＣカードのロックＯＮ、ｏｆｆの状態を示す図である。
【図１２】スケジュールと自動ロックと電池パック着脱と電源ＯＮとの競合によるＩＣカードのロックＯＮ、ｏｆｆを示す図である。
【符号の説明】
【０１２１】
１０    携帯端末装置
２０    上部筐体
２１    メイン画面表示窓
３０    下部筐体
３１    操作ボタン
４１    無線送受信部
４２    制御部
４３    メモリ
４４    インターフェイス
４５    スピーカ
４６    マイクロホン
４７    表示画面
４８    入力操作部
４９    ＩＣカード
【図１】
2007148999.tif 000003
【図２】
2007148999.tif 000004
【図３】
2007148999.tif 000005
【図４】
2007148999.tif 000006
【図５】
2007148999.tif 000007
【図６】
2007148999.tif 000008
【図７】
2007148999.tif 000009
【図８】
2007148999.tif 000010
【図９】
2007148999.tif 000011
【図１０】
2007148999.tif 000012
【図１１】
2007148999.tif 000013
【図１２】
2007148999.tif 000014